(57)【要約】【課題】リモートコントローラの操作が無視される原因をユーザに知らせる。【解決手段】リモコン信号２６１が正常に受信されなくなる原因として予め想定された複数種の原因を示す表示情報を記憶した表示情報記憶部１３を備え、信号判定解析部１１は、パルス波形信号３７１におけるパルス幅やパルス間隔が所定範囲から外れたことからリモコン信号２６１が正常に受信されなかったと判別した後にも、パルス幅やパルス間隔の検出を継続することによって、受信不良の原因が、予め想定された複数種の原因のうちのどの原因なのかを判別する。不具合表示部１２は、表示情報記憶部１３に記憶された複数種の表示情報のうち、信号判定解析部１１が受信不良の原因と判別した原因を示す表示情報をテレビ受像機１９に表示する。【選択図】  図１
2006067022.tif 000002
【特許請求の範囲】
【請求項１】
電池を電源とし、赤外線によるリモートコントロール信号を送信するリモートコントローラと、
リモートコントローラから送信されたリモートコントロール信号を受信する受光部を備えるとともに、受光部が受信したリモートコントロール信号に対応したパルス波形信号を出力する受信回路部と、
パルス波形信号に基づいてリモートコントロール信号が正常に受信されたかどうかを判別するとともに、リモートコントロール信号が正常に受信されたと判別したときにはパルス波形信号により示される制御の種類を解析し、リモートコントロール信号が正常に受信されなかったと判別したときには不具合の発生を示す信号判定解析部と、
信号判定解析部が不具合の発生を示すときには不具合の発生を表示装置に表示する不具合表示部とを備え、
リモートコントロール信号はヘッダとカスタムコードとデータコードとを含むリモートコントロール装置において、
リモートコントロール信号が正常に受信されなくなる原因として予め想定された複数種の原因のそれぞれを示す表示情報として、リモートコントローラの電池の電圧の低下を示す表示情報と、リモートコントローラの向きのずれを示す表示情報と、ノイズの過多を示す表示情報とを記憶した表示情報記憶部を備え、
信号判定解析部は、ヘッダを示すパルスの幅が第１の所定範囲より広くなるが、カスタムコードとデータコードとにおけるパルスの幅が第２の所定範囲となるときには、リモートコントロール信号が正常に受信されなくなる受信不良の原因はリモートコントローラの向きのずれであると判別し、ヘッダを示すパルスの幅が第１の所定範囲より広くなるとともに、カスタムコードとデータコードとにおけるパルスの幅も第２の所定範囲より広くなるときには、前記受信不良の原因はリモートコントローラの電池の電圧の低下であると判別し、第３の所定範囲のパルスが多く現れるときには、前記受信不良の原因はノイズの過多であると判別し、
不具合表示部は、信号判定解析部が不具合の発生を示すときには、表示情報記憶部に記憶された複数種の表示情報のうち、信号判定解析部が受信不良の原因と判別した原因を示す表示情報を表示装置に表示し、且つ、ノイズ表示モードとノイズ非表示モードとのうちのノイズ表示モードとなる場合、第３の所定範囲のパルスが多く現れたことを信号判定解析部が示すときには、リモートコントロール信号が受信されないときにおいてもノイズが過多であることを表示装置に表示し、
第１の所定範囲をヘッダのパルス幅を示す範囲とし、第２の所定範囲をカスタムコードとデータコードとのパルス幅を示す範囲とし、第３の所定範囲を蛍光灯からのノイズを示す範囲としたことを特徴とするリモートコントロール装置。
【請求項２】
電池を電源とし、赤外線によるリモートコントロール信号を送信するリモートコントローラと、
リモートコントローラから送信されたリモートコントロール信号を受信する受光部を備えるとともに、受光部が受信したリモートコントロール信号に対応したパルス波形信号を出力する受信回路部と、
パルス波形信号に基づいてリモートコントロール信号が正常に受信されたかどうかを判別するとともに、リモートコントロール信号が正常に受信されたと判別したときにはパルス波形信号により示される制御の種類を解析し、リモートコントロール信号が正常に受信されなかったと判別したときには不具合の発生を示す信号判定解析部と、
信号判定解析部が不具合の発生を示すときには不具合の発生を表示装置に表示する不具合表示部とを備えたリモートコントロール装置において、
リモートコントロール信号が正常に受信されなくなる原因として予め想定された複数種の原因のそれぞれを示す表示情報を記憶した表示情報記憶部を備え、
信号判定解析部は、パルス波形信号におけるパルス幅やパルス間隔が所定範囲から外れたことからリモートコントロール信号が正常に受信されなかったと判別した後にも、パルス波形信号におけるパルス幅やパルス間隔の検出を継続することによって、リモートコントロール信号が正常に受信されなかった受信不良の原因が、前記予め想定された複数種の原因のうちのどの原因なのかを判別し、
不具合表示部は、信号判定解析部が不具合の発生を示すときには、表示情報記憶部に記憶された複数種の表示情報のうち、信号判定解析部が受信不良の原因と判別した原因を示す表示情報を表示装置に表示することを特徴とするリモートコントロール装置。
【請求項３】
リモートコントロール信号はヘッダとカスタムコードとデータコードとを含み、
表示情報記憶部は、リモートコントローラの電池の電圧の低下を示す表示情報と、リモートコントローラの向きのずれを示す表示情報と、ノイズの過多を示す表示情報とを記憶し、
信号判定解析部は、ヘッダを示すパルスの幅が第１の所定範囲より広くなるが、カスタムコードとデータコードとにおけるパルスの幅が第２の所定範囲となるときには、受信不良の原因はリモートコントローラの向きのずれであると判別し、ヘッダを示すパルスの幅が第１の所定範囲より広くなるとともに、カスタムコードとデータコードとにおけるパルスの幅も第２の所定範囲より広くなるときには、受信不良の原因はリモートコントローラの電池の電圧の低下であると判別し、第３の所定範囲のパルスが多く現れるときには、受信不良の原因はノイズの過多であると判別し、
第１の所定範囲をヘッダのパルス幅を示す範囲とし、第２の所定範囲をカスタムコードとデータコードとのパルス幅を示す範囲とし、第３の所定範囲を蛍光灯からのノイズを示す範囲としたことを特徴とする請求項２に記載のリモートコントロール装置。
【発明の詳細な説明】
【技術分野】
【０００１】
本発明は、電池を電源とし、赤外線によるリモートコントロール信号を送信するリモートコントローラと、リモートコントロール信号に対応したパルス波形信号を出力する受信回路部とを備えたリモートコントロール装置に係り、より詳細には、リモートコントロール信号が正常に受信されなかったときには不具合の発生の原因を表示装置に表示するリモートコントロール装置に関するものである。
【背景技術】
【０００２】
テレビ受像機やＤＶＤプレイヤ等のＡＶ機器の操作には、多くの場合においてリモートコントローラが使用される。しかし、時によっては、リモートコントローラを操作しているにもかかわらず、対象となる機器がリモートコントローラの操作に従った動作を行わないことがある。このような事態に対応するための技術として、以下に示す技術が提案されている（第１の従来技術とする）。すなわち、この技術では、受信したリモコン信号のフォーマットが異なる場合には、受信したリモコン信号のフォーマットの種類を表示している。また、受信したリモコン信号のカスタムコードが異なる機器のためのものである場合には、そのカスタムコードに対応する機器を表示している。このため、リモートコントローラを操作したにもかかわらず、対象となる機器がリモートコントローラの操作に従った動作を行わないとき、リモートコントローラの操作に従わない理由を容易に理解することができる（例えば、特許文献１参照）。
【０００３】
また、以下に示す技術が提案されている（第２の従来技術とする）。すなわち、この技術では、リモコン信号を所定処理して得られたデジタル信号が正常なリモコン信号であるかどうかを判定する判定装置を設けている。この判定装置は、入力されたデジタル信号におけるパルスの幅が、規格によって決められている信号と同等なパルス幅でないときには、リモコン信号は正常ではないと見なすようになっている。すなわち、リーダーコードと呼ばれるヘッダーパルスが所定幅を満たさないときには、入力されたリーダーコードはノイズであるとして、処理を終了している。また、リーダーコードの入力後、次に入力されたパルスの入力のタイミングが、カスタムコードの最初のパルスの入力のタイミングとは異なると判定するときには、判定動作を初期状態に戻すとともに、リモコン信号が異常であることを示す異常信号を出力している。また、パルス間隔の時間が、予め定められている論理『１』を示すコードのパルス間隔や、論理『０』を示すコードのパルス間隔のいずれでもなければ、判定動作を初期状態に戻すとともに、異常信号を出力している。また、パルス幅やパルスの時間的な間隔に異常がないときでも、３２ビットのデータが得られなかった場合や、１回目のカスタムコードやデータコードの論理的反転が２回目のカスタムコードやデータコードになっていない場合にも、異常信号を出力することが併せて開示されている。また、異常信号が出力されるときには、リモコン信号の受信状態が異常であることを示すため、ＬＥＤを点灯させることも併せて開示されている（例えば、特許文献２参照）。
【０００４】
また、以下に示す技術が提案されている（第３の従来技術とする）。すなわち、この技術では、リモコン信号に悪影響を与える蛍光灯からの光のレベルを示すために、３つのＬＥＤを設けている。また、リモコン信号を受光する受光回路の出力に現れるパルスの周期が、商用電源の周期である１０ｍＳ、あるいは、８．３ｍＳとなるときには、蛍光灯からの光の影響下、すなわち、ノイズの環境下にあると判定している。そして、ノイズの環境下にあると判定した場合、受光回路の出力に現れるパルス幅が広い場合では、ノイズレベルが高いとして３つのＬＥＤを点滅させ、以下、パルス幅が小さくなるに従い、点滅させるＬＥＤの数を減少させている（例えば、特許文献３参照）。
【特許文献１】特開平５−３１６５７５号公報
【特許文献２】特開平６−２６９０５６号公報
【特許文献３】特開平５−１０７６０８号公報
【発明の開示】
【発明が解決しようとする課題】
【０００５】
しかしながら、上記技術を用いた場合には、以下に示す問題を生じていた。すなわち、第１の従来技術は、リモートコントロール信号におけるパルス幅やパルス間隔が正常であることを前提とした技術となっている。このため、リモートコントローラの赤外線の放射方向が、対象となる機器の方向からずれたこと、あるいは、リモートコントローラの電池の電圧が低下したことのいずれかが原因となって、リモートコントローラの操作が無視されるという事態に対しては、適用することが困難な技術となっている。
【０００６】
第２の従来技術は、パルス幅やパルス間隔に異常が生じたときには、異常を検出した時点で、異常信号を送出し、動作を初期化している。このため、リモートコントローラの赤外線の放射方向が、対象となる機器の方向からずれたこと、あるいは、リモートコントローラの電池の電圧が低下したこと、または、ノイズの影響でパルス幅やパルス間隔に異常が生じたことのいずれかが異常の発生の原因となるときでも、単に異常の発生が表示されるに過ぎない。このため、ユーザにとっては、リモートコントローラの操作がたびたび無視される事態が生じるときもに、このような事態の改善が困難となっていた。
【０００７】
第３の従来技術は、蛍光灯が発するノイズの影響の程度を、点滅させるＬＥＤの数でもって示す技術となっている。このため、リモートコントローラの赤外線の放射方向が、対象となる機器の方向からずれたこと、あるいは、リモートコントローラの電池の電圧が低下したことのいずれかが原因となって、リモートコントローラの操作が無視されるといった事態に対しては、適用することが困難な技術となっている。
【０００８】
本発明は、上記の問題点を解決するため創案されたものであり、その目的は、リモートコントローラの操作が無視される原因を好適に知らせることのでき、且つ、蛍光灯からのノイズの過多によるリモコン信号の受信の不具合の解消を手助けすることのできるリモートコントロール装置を提供することにある。
【０００９】
また本発明の目的は、受信したリモートコントロール信号のパルス幅やパルス間隔が所定範囲から外れたことからリモートコントロール信号が正常に受信されなかったと判別した後にも、パルス波形信号におけるパルス幅やパルス間隔の検出を継続することによって、リモートコントロール信号が正常に受信されなかった受信不良の原因が、予め想定された複数種の原因のうちのどの原因なのかを判別して表示することにより、リモートコントローラの操作が無視される原因を知らせることのできるリモートコントロール装置を提供することにある。
【００１０】
また、上記目的に加え、リモートコントローラの電池の電圧の低下、リモートコントローラの向きのずれ、ノイズの過多の３つのうちの１つを、リモートコントロール信号が無視される原因として表示することにより、リモートコントローラの操作が無視される原因を好適に知らせることのできるリモートコントロール装置を提供することにある。
【課題を解決するための手段】
【００１１】
上記の課題を解決するため、本発明に係るリモートコントロール装置は、電池を電源とし、赤外線によるリモートコントロール信号を送信するリモートコントローラと、リモートコントローラから送信されたリモートコントロール信号を受信する受光部を備えるとともに、受光部が受信したリモートコントロール信号に対応したパルス波形信号を出力する受信回路部と、パルス波形信号に基づいてリモートコントロール信号が正常に受信されたかどうかを判別するとともに、リモートコントロール信号が正常に受信されたと判別したときにはパルス波形信号により示される制御の種類を解析し、リモートコントロール信号が正常に受信されなかったと判別したときには不具合の発生を示す信号判定解析部と、信号判定解析部が不具合の発生を示すときには不具合の発生を表示装置に表示する不具合表示部とを備え、リモートコントロール信号はヘッダとカスタムコードとデータコードとを含むリモートコントロール装置に適用している。そして、リモートコントロール信号が正常に受信されなくなる原因として予め想定された複数種の原因のそれぞれを示す表示情報として、リモートコントローラの電池の電圧の低下を示す表示情報と、リモートコントローラの向きのずれを示す表示情報と、ノイズの過多を示す表示情報とを記憶した表示情報記憶部を備えている。また、信号判定解析部は、ヘッダを示すパルスの幅が第１の所定範囲より広くなるが、カスタムコードとデータコードとにおけるパルスの幅が第２の所定範囲となるときには、リモートコントロール信号が正常に受信されなくなる受信不良の原因はリモートコントローラの向きのずれであると判別し、ヘッダを示すパルスの幅が第１の所定範囲より広くなるとともに、カスタムコードとデータコードとにおけるパルスの幅も第２の所定範囲より広くなるときには、前記受信不良の原因はリモートコントローラの電池の電圧の低下であると判別し、第３の所定範囲のパルスが多く現れるときには、前記受信不良の原因はノイズの過多であると判別するようになっており、不具合表示部は、信号判定解析部が不具合の発生を示すときには、表示情報記憶部に記憶された複数種の表示情報のうち、信号判定解析部が受信不良の原因と判別した原因を示す表示情報を表示装置に表示し、且つ、ノイズ表示モードとノイズ非表示モードとのうちのノイズ表示モードとなる場合、第３の所定範囲のパルスが多く現れたことを信号判定解析部が示すときには、リモートコントロール信号が受信されないときにおいてもノイズが過多であることを表示装置に表示するようになっている。また、第１の所定範囲をヘッダのパルス幅を示す範囲とし、第２の所定範囲をカスタムコードとデータコードとのパルス幅を示す範囲とし、第３の所定範囲を蛍光灯からのノイズを示す範囲としている。
【００１２】
すなわち、パルス波形信号におけるパルス幅やパルス間隔が所定範囲から外れた場合にあっては、その後にパルス波形信号に現れるパルス幅やパルス間隔は、受信不良となった原因に対応して、異なる値を示す。従って、パルス波形信号におけるパルス幅やパルス間隔が所定範囲から外れた後にも、その後にパルス波形信号に現れるパルス幅やパルス間隔を検出すると、受信不良の原因が、予め想定される原因のうち、どの原因によるものなのかが特定される。また、特定された原因として、リモートコントローラの電池の電圧の低下か、リモートコントローラの向きのずれか、あるいは、ノイズの過多のうち、どの原因であるのかが表示される。且つ、ノイズ表示モードとするときでは、ノイズが過多であるのかどうかが直ちに表示される。
【００１３】
また、本発明に係るリモートコントロール装置は、電池を電源とし、赤外線によるリモートコントロール信号を送信するリモートコントローラと、リモートコントローラから送信されたリモートコントロール信号を受信する受光部を備えるとともに、受光部が受信したリモートコントロール信号に対応したパルス波形信号を出力する受信回路部と、パルス波形信号に基づいてリモートコントロール信号が正常に受信されたかどうかを判別するとともに、リモートコントロール信号が正常に受信されたと判別したときにはパルス波形信号により示される制御の種類を解析し、リモートコントロール信号が正常に受信されなかったと判別したときには不具合の発生を示す信号判定解析部と、信号判定解析部が不具合の発生を示すときには不具合の発生を表示装置に表示する不具合表示部とを備えたリモートコントロール装置に適用している。そして、リモートコントロール信号が正常に受信されなくなる原因として予め想定された複数種の原因のそれぞれを示す表示情報を記憶した表示情報記憶部を備えており、信号判定解析部は、パルス波形信号におけるパルス幅やパルス間隔が所定範囲から外れたことからリモートコントロール信号が正常に受信されなかったと判別した後にも、パルス波形信号におけるパルス幅やパルス間隔の検出を継続することによって、リモートコントロール信号が正常に受信されなかった受信不良の原因が、前記予め想定された複数種の原因のうちのどの原因なのかを判別し、不具合表示部は、信号判定解析部が不具合の発生を示すときには、表示情報記憶部に記憶された複数種の表示情報のうち、信号判定解析部が受信不良の原因と判別した原因を示す表示情報を表示装置に表示するようになっている。
【００１４】
すなわち、パルス波形信号におけるパルス幅やパルス間隔が所定範囲から外れた場合にあっては、その後にパルス波形信号に現れるパルス幅やパルス間隔は、受信不良となった原因に対応して、異なる値を示す。従って、パルス波形信号におけるパルス幅やパルス間隔が所定範囲から外れた後にも、その後にパルス波形信号に現れるパルス幅やパルス間隔を検出すると、受信不良の原因が、予め想定される原因のうち、どの原因によるものなのかが特定される。また、特定された原因は、表示情報として表示装置に表示される。
【００１５】
また、上記構成に加え、リモートコントロール信号はヘッダとカスタムコードとデータコードとを含み、表示情報記憶部は、リモートコントローラの電池の電圧の低下を示す表示情報と、リモートコントローラの向きのずれを示す表示情報と、ノイズの過多を示す表示情報とを記憶し、信号判定解析部は、ヘッダを示すパルスの幅が第１の所定範囲より広くなるが、カスタムコードとデータコードとにおけるパルスの幅が第２の所定範囲となるときには、受信不良の原因はリモートコントローラの向きのずれであると判別し、ヘッダを示すパルスの幅が第１の所定範囲より広くなるとともに、カスタムコードとデータコードとにおけるパルスの幅も第２の所定範囲より広くなるときには、受信不良の原因はリモートコントローラの電池の電圧の低下であると判別し、第３の所定範囲のパルスが多く現れるときには、受信不良の原因はノイズの過多であると判別するようになっている。また、第１の所定範囲をヘッダのパルス幅を示す範囲とし、第２の所定範囲をカスタムコードとデータコードとのパルス幅を示す範囲とし、第３の所定範囲を蛍光灯からのノイズを示す範囲としている。
【００１６】
すなわち、受信不良の原因として、リモートコントローラの電池の電圧の低下、または、リモートコントローラの向きのずれ、あるいは、ノイズの過多のうちの１つが表示される。
【発明の効果】
【００１７】
本発明によれば、パルス波形信号におけるパルス幅やパルス間隔が所定範囲から外れた後にも、その後にパルス波形信号に現れるパルス幅やパルス間隔が検出されて、リモートコントロール信号の受信不良の原因が、予め想定される原因のうち、どの原因となっているのかが特定される。また、特定された原因として  リモートコントローラの電池の電圧の低下、または、リモートコントローラの向きのずれ、あるいは、ノイズの過多のうちの１つが表示される。且つ、ノイズ表示モードとするときでは、ノイズが過多であるのかどうかが直ちに表示される。このため、リモートコントローラの操作が無視される原因をユーザに好適に知らせることができ、且つ、蛍光灯からのノイズの過多によるリモコン信号の受信の不具合の解消を手助けすることができる。
【００１８】
また、本発明によれば、パルス波形信号におけるパルス幅やパルス間隔が所定範囲から外れた後にも、その後にパルス波形信号に現れるパルス幅やパルス間隔を検出されて、リモートコントロール信号の受信不良の原因が、予め想定される原因のうち、どの原因となっているのかが特定される。また、特定された原因を示す表示情報が表示されるので、リモートコントローラの操作が無視される原因をユーザに知らせることができる。従って、リモートコントローラの使用感が向上することになる。
【００１９】
また、さらに、受信不良の原因として、リモートコントローラの電池の電圧の低下、または、リモートコントローラの向きのずれ、あるいは、ノイズの過多のうちの１つが表示されるので、リモートコントローラの操作が無視される原因をユーザに好適に知らせることができる。
【発明を実施するための最良の形態】
【００２０】
以下、本発明の実施の形態について図を参照して説明する。
【００２１】
図１は、本発明に係るリモートコントロール装置の一実施形態を用いたＤＶＤプレイヤの電気的構成を示すブロック線図である。
【００２２】
図において、ディスク再生部２は、ＤＶＤ１に記録された映像音声情報を読み取るとともに、読み取った映像音声情報を所定処理することによって得られた映像音声信号を、外部に設けられたテレビ受像機１９に出力する。キースイッチ６は、装置本体の前面パネルに設けられた電源キー等のキースイッチであり、ユーザの指示が入力される。また、入力されたキースイッチを示す信号をマイクロコンピュータ（以下では、マイコンと称する）３に出力する。
【００２３】
リモートコントローラ（以下では、単にリモコンと称する）５は、電池を電源として動作し、ユーザがキースイッチを操作すると、赤外線によるリモートコントロール信号（以下では、単にリモコン信号と称する）２６１を送信する（後に詳述する）。受信回路部４は、リモコン５から送信されたリモコン信号２６１を受信する受光部を備えるとともに、受光部が受信したリモコン信号２６１に対応したパルス波形信号３７１をマイコン３に出力する（後に詳述する）。
【００２４】
マイコン３は、ＤＶＤプレイヤとしての主要動作を制御する。すなわち、再生の指示がリモコン５やキースイッチ６に入力されたときには、ディスク再生部２の動作を制御することによって、ＤＶＤ１に記録された映像音声情報を、映像音声信号としてテレビ受像機１９に出力させることにより、ＤＶＤ１に記録された映像や音声をテレビ受像機１９において表示する。
【００２５】
なお、マイコン３は、リモコン信号２６１により示された動作のための制御を行うときに、リモコン信号２６１の読み取りに不具合が生じると、ディスク再生部２に設けられたオンスクリーンディスプレイ回路（図示を省略）を制御することによって、不具合の原因を示す情報をテレビ受像機１９に表示する。このため、信号判定解析部１１、不具合表示部１２、および、表示情報記憶部１３を備えている。
【００２６】
ここで、信号判定解析部１１、不具合表示部１２、表示情報記憶部１３の詳細な構成の説明に先立ち、受信回路部４とリモコン５との詳細な構成について説明する。
【００２７】
図２は、リモコン５の詳細な電気的構成を示しており、クロック回路２３は、動作の基準となるクロック信号を生成して、制御部２４に出力する。キースイッチ２２は、リモコン本体の操作面に設けられた複数のキースイッチであり、ユーザによって操作されたキースイッチを示す信号を制御部２４に出力する。制御部２４は、キースイッチ２２にユーザの操作が入力されたときには、駆動回路２５を介して、赤外線発光ダイオード２６を点滅駆動することにより、操作されたキースイッチを示すリモコン信号２６１を送信する。電池２１は、キースイッチ２２、クロック回路２３、制御部２４、および、駆動回路２５に動作電源を供給する。
【００２８】
なお、リモコン信号２６１は、図５に模式的に示したように、３８ＫＨｚのキャリア信号Ｐ７１を用いてパルスＰ７２を示すようになっている。なお、実機においては、キャリア信号により示されるパルスは、図４に示すように、ヘッダを示すパルスＰ８５、カスタムコードａを示すパルスＰ８６、データコードｂを示すパルスＰ８７の３種となっている。また、カスタムコードａを示すパルスＰ８６の幅と、データコードｂを示すパルスＰ８７の幅とは、同じ幅になっている。
【００２９】
また、クロック回路２３は、電池２１より供給される動作電源の電圧が低下した場合、生成するクロック信号の周波数は低くなる。従って、電池２１より供給される動作電源の電圧が低下した場合のリモコン信号２６１の波形は、図６の３７１−４に示したように、各パルスの幅が広くなるとともに、各パルスの間隔も、併せて広くなる。なお、図６におけるパルス波形信号３７１−１は、パルス波形信号３７１に現れるパルスの理論的な形状および理論的なパルス間隔を示している。
【００３０】
図３は、受信回路部４の詳細な電気的構成を示しており、フォトダイオード（請求項記載の受光部）３１は、リモコン５より送信されるリモコン信号２６１を受光する（抵抗３２は、フォトダイオード３１に流れる電流を所定値に設定する）。プリアンプ３３は、フォトダイオード３１の出力を増幅して、バンドパスフィルタ（以下では、ＢＰＦと称する）３４に送出する。
【００３１】
ＢＰＦ３４は、リモコン信号２６１の３８ＫＨｚのキャリア信号のみを通過させ、その他の周波数成分を除去する。検波回路３５は、ＢＰＦ３４から出力される信号を検波して、積分回路３６に送出する。積分回路３６は、検波回路３５の出力から、キャリア信号の周波数成分を除去して、２値化回路３７に送出する。２値化回路３７は、積分回路３６の出力レベルを２値化することによってパルス波形信号３７１を生成する。
【００３２】
すなわち、受信回路部４は、図５に示したように、キャリア信号Ｐ７１の有無によってパルスの有無を示すリモコン信号２６１に対応したパルス波形信号３７１を生成し、生成したパルス波形信号３７１をマイコン３に出力する。
【００３３】
図１を参照した構成の説明に戻ると、表示情報記憶部１３は、リモコン信号２６１が正常に受信されなくなる原因として予め想定された複数種の原因のそれぞれを示す表示情報を記憶している。詳細には、リモコン５の電池２１の電圧の低下を示す表示情報と、リモコン５の向きのずれを示す表示情報と、フォトダイオード３１に飛び込むノイズの過多を示す表示情報との３種の表示情報を記憶している。
【００３４】
信号判定解析部１１は、パルス波形信号３７１に基づいてリモコン信号２６１が正常に受信されたかどうかを判別する。そして、リモコン信号２６１が正常に受信されたと判別したときには、パルス波形信号３７１により示される制御の種類を解析して出力する（この出力は、マイコン３がディスク再生部２を制御するときに使用される）。一方、リモコン信号２６１が正常に受信されなかったと判別したときには不具合の発生を知らせる。
【００３５】
詳細には、パルス波形信号３７１のパルス幅やパルス間隔が所定範囲から外れたときには、リモコン信号２６１が正常に受信されなかったと判別する。そして、前記判別を行った後にも、パルス波形信号３７１のパルス幅やパルス間隔の検出を継続することによって、リモコン信号２６１が正常に受信されなかった受信不良の原因が、前記の予め想定された複数種の原因のうちのどの原因なのかを判別する。
【００３６】
すなわち、リモコン信号２６１が正常に受信されなかったと判別する前に得られたパルス幅やパルス間隔、および、前記判別後に得られたパルス幅やパルス間隔から、リモコン信号２６１が正常に受信されなかった原因が、リモコン５の電池２１の電圧の低下のためなのか、または、リモコン５の向きのずれのためなのか、あるいは、フォトダイオード３１に飛び込むノイズの過多のためなのかを判別する。
【００３７】
図６を参照しつつ、より詳細に説明する。なお、図６におけるパルス波形信号３７１−２〜３７１−４は、リモコン信号２６１が正常に受信されなかったときのパルス波形信号３７１を示している。また、パルス波形信号３７１−１は、既に説明したように、パルス波形信号３７１に現れるパルスが、理論値に該当する幅および間隔となるときのパルス形状を示している。また、請求項記載の第１の所定範囲は、ヘッダパルスＰ１１の理論値ｔ１１の約６０％〜１２０％の範囲となっており、同図に示すｔｍｉｎは第１の所定範囲の最小値を示しており、ｔｍａｘは第１の所定範囲の最大値を示している。
【００３８】
また、請求項記載の第２の所定範囲であり、カスタムコードやデータコードにおけるパルス幅が正常がどうかの判別の基準となる範囲は、信号３７１−１におけるカスタムコードやデータコードのパルス幅ｔ１３の約６０％〜１２０％となっている。また、請求項記載の第３の所定範囲であり、蛍光灯から発生するノイズであるかどうかの判別の基準となる範囲は、前記したパルス幅ｔ１３の約３０％以下の範囲となっている。
【００３９】
第１〜第３の所定範囲が上記した範囲であるとき、信号判定解析部１１は、信号３７１−３によって示したように、ヘッダを示すパルスＰ３１の幅ｔ３１が第１の所定範囲より広くなるが、カスタムコードとデータコードとにおけるパルスの幅ｔ３３が第２の所定範囲の幅となるときには、受信不良の原因はリモコン５の向きのずれであると判別する。また、信号３７１−４によって示したように、ヘッダを示すパルスＰ４１の幅ｔ４１が第１の所定範囲より広くなるとともに、カスタムコードとデータコードとにおけるパルス幅ｔ４３も第２の所定範囲より広くなるときには、受信不良の原因はリモコン５の電池２１の電圧の低下であると判別する。また、信号３７１−５によって示したように、第３の所定範囲より短いパルスＰ５１が多く現れるときには、フォトダイオード３１に飛び込むノイズは過多であると判別する（このときにリモコン信号２６１を受信すると、パルス波形信号は、図６の３７１−２により示す波形となる）。
【００４０】
不具合表示部１２は、信号判定解析部１１が不具合の発生を示すときには、表示情報記憶部１３に記憶された複数種の表示情報のうち、信号判定解析部１１が受信不良の原因と判別した原因を示す表示情報をテレビ受像機（表示装置）１９に表示する。
【００４１】
なお、不具合表示部１２は、ノイズ表示モードとノイズ非表示モードとのうちのノイズ表示モードとなっている場合、信号判定解析部１１がノイズの過多を示すときには、リモコン信号２６１を受信したかどうかにかかわりなく、ノイズの過多を示す情報をテレビ受像機１９に表示する。すなわち、ノイズ表示モードとなっているとき、信号判定解析部１１がノイズの過多と判別する場合には、リモコン５のキースイッチが操作されず、リモコン信号２６１を受信しないときであっても、蛍光灯からのノイズが強い状態にあることを示す情報を表示する。
【００４２】
しかし、ノイズ非表示モードとなっている場合には、信号判定解析部１１がノイズの過多（後述するように、ノイズフラグがオンになっていること）を示すときにも、蛍光灯からのノイズが強い状態にあることを示す情報を表示しない（リモコン信号２６１を受信したときの受信不良の原因が、ノイズの過多であると判別されたときには、不具合表示部１２は、ノイズの過多を示す情報を表示する）。
【００４３】
図７〜図１０は、リモコン信号を受信した場合の実施形態の主要動作を示すフローチャートである。必要に応じて同図を参照しつつ、実施形態の動作を説明する。
【００４４】
信号判定解析部１１は、パルス波形信号３７１にパルスが現れたことを検出すると、パルスの幅を調べる（ステップＳ１，Ｓ２）。パルスの幅が、ヘッダパルスの幅より充分に狭く、蛍光灯からのノイズと想定されるパルス幅（第３の所定範囲）であるときには（図６の３７１−５を参照）、動作は、ステップＳ３〜Ｓ６と移行して、所定期間内に所定回数だけ、該当することになったかどうかを調べる。
【００４５】
すなわち、蛍光灯からのノイズは、５０Ｈｚの地域では１秒の間に１００回検出され、６０Ｈｚの地域では１秒の間に１２０回検出される。このため、例えば、１／４秒の間に、２０回より多く該当することになった場合には、ノイズの過多を示すノイズフラグをオンにする（ステップＳ７，Ｓ８）。一方、１／４秒の間に該当した回数が、２０回未満となる場合には、ノイズが多くはないとして、ノイズフラグはオフに設定される（ステップＳ７，Ｓ９）。
【００４６】
一方、例えば、信号３７１−３、あるいは、信号３７１−４のように、パルス波形信号３７１に現れたヘッダパルス（Ｐ３１あるいはＰ４１）の幅が第１の所定範囲より広い場合には、動作は、ステップＳ４からステップＳ１１に移行して、カスタムコードのパルス幅とデータコードのパルス幅とのそれぞれが第２の所定範囲にあるかどうかを調べる。信号３７１−３のように、カスタムコードのパルス幅とデータコードのパルス幅とのそれぞれが第２の所定範囲（正常値）となっているときには、信号判定解析部１１は、リモコン信号２６１が正常に受信されない原因は、リモコン５の向きのずれであると判別する（ステップＳ１２，Ｓ１３）。そして、リモコン５の向きのずれが原因となって不具合が発生したことを不具合表示部１２に知らせる（ステップＳ１４）。
【００４７】
一方、信号３７１−４のように、カスタムコードのパルス幅とデータコードのパルス幅とのそれぞれ（ｔ４３により示す）が第２の所定範囲より広い場合には、動作は、ステップＳ１２，Ｓ２１，Ｓ２２と移行し、リモコン信号２６１が正常に受信されない原因は、リモコン５の電池２１の電圧の低下であると判別する。そして、リモコン５の電池２１の電圧の低下が原因となって不具合が発生したことを不具合表示部１２に知らせる（ステップＳ２３）。
【００４８】
なお、上記判別においては、詳細には、ヘッダパルスＰ４１の幅ｔ４１、ヘッダパルスＰ４１からカスタムコードの最初のパルスまでの間隔ｔ４２、カスタムコードやデータコードにおけるパルスの幅ｔ４３、論理『０』または論理『１』の一方を示すパルス間隔ｔ４４、論理『０』または論理『１』の他方を示すパルス間隔ｔ４５のそれぞれについて、それぞれに対応する理論値との比率が調べられる。そして、これらの比率が互いに近似した値を示すとき、すなわち、信号３７１−４が、信号３７１−１を時間軸方向に引き延ばした信号となっていることが判明したとき、信号判定解析部１１は、リモコン信号２６１が正常に受信されない原因は、リモコン５の電池２１の電圧の低下であると判別するようになっている。
【００４９】
一方、カスタムコードのパルス幅とデータコードのパルス幅とのそれぞれが第２の所定範囲より狭い場合には、動作は、ステップＳ１２，Ｓ２１，Ｓ２４と移行し、信号判定解析部１１は、単に、不具合が発生したことを不具合表示部１２に知らせる。
【００５０】
また、信号３７１−２のように、ヘッダパルスＰ２１の幅が第１の所定範囲にあるときには、動作は、ステップＳ３からステップＳ３１に移行し、カスタムコードとデータコードとにより示される制御の対象および制御の種類の解析が行われる。そして、制御の対象と種類との解析に成功したときには、リモコン信号２６１は正常に受信されたとして、解析した制御の対象と種類とを示す情報を、ディスク再生部２の動作の制御のための情報として、マイコン３における制御を担当するブロックに出力する（ステップＳ３２，Ｓ３３）。
【００５１】
一方、カスタムコードとデータコードとの解析に成功しなかったときには、ノイズフラグがオンになっているかどうかを調べる。そして、ノイズフラグがオンになっているときには、カスタムコードとデータコードとの解析に成功しなかったことの原因、すなわち、リモコン信号２６１が正常に受信できなかったことの原因は、ノイズ（Ｐ２５により示す）の過多であると判別する（ステップＳ４１，Ｓ４２）。そして、ノイズの過多が原因となって不具合が発生したことを不具合表示部１２に知らせる（ステップＳ４３）。一方、ステップＳ４１の判定において、ノイズフラグがオフであったときには、単に、不具合が発生したことを不具合表示部１２に知らせる。
【００５２】
不具合表示部１２は、不具合の発生を知らされた場合、信号判定解析部１１において判別された原因に対応する表示情報を表示情報記憶部１３から読み出して、テレビ受像機１９に表示する（ステップＳ５１，Ｓ５２）。図１１は、リモコン信号２６１が正常に受信されない原因が、リモコン５の向きのずれであると判別されたとき、表示情報である『リモコンの向きがずれています』が表示されたときの画面の一例を示している。
【００５３】
なお、単に不具合の発生のみを知らされたときには、本実施形態では、この知らせを無視するようになっている（リモコン信号の受信にエラーが生じたことを表示するようにしてもよい）。
【００５４】
一方、不具合の発生が知らされない場合であっても、ノイズフラグがオンとなっているときには、動作のモードが、ノイズ表示モードとノイズ非表示モードとのうち、どちらのモードになっているのかを調べる（ステップＳ５１，Ｓ５２）。ノイズ表示モードとなっていることが判明した場合には、ノイズの過多を示す情報をテレビ受像機１９に表示する（ステップＳ５３，Ｓ５４）。しかし、ノイズフラグがオンとなっているときであっても、動作のモードがノイズ非表示モードとなっているときには、ノイズの過多を示す情報は表示されない（ステップＳ５１〜Ｓ５３）。
【００５５】
上記したように、不具合表示部１２は、不具合の発生を知らされない場合であっても、ノイズフラグがオン、かつ、ノイズ表示モードとなるときには、ノイズの過多を示す情報を表示する。このため、リモコン信号２６１が正常に受信されないことが多く、且つ、その原因としてノイズの過多が表示される場合には、その対策を容易に行うことができる。すなわち、動作のモードをノイズ表示モードにする。ノイズ表示モードとしたときには、ノイズの過多を示す情報が表示されるので、ノイズの過多が表示されないように、装置本体の向きや設置位置を変更するのみで、ノイズの過多によるリモコン信号の受信の不具合を解消することができる。
【００５６】
以下に、信号判定解析部１１の判別において、リモコン５の向きがずれているかどうかが判別可能になっていることについて、補足的な説明を行う。リモコン５の向きがずれた場合、フォトダイオード３１には、リモコン５から直接に届く赤外線と、周囲の物体に反射して届く赤外線とが受光される。また、受光される赤外線の強度は弱く、ノイズの影響を受けやすくなる。このため、パルス幅が広いヘッダパルスについては、フォトダイオード３１の出力を増幅するプリアンプ３３のゲインの自動調整における時定数、積分回路の時定数、および、ノイズの影響等によって、パルス幅が広がる。その一方で、カスタムコードやデータコードを形成する幅の短いパルスについては、プリアンプ３３のゲインの自動調整における時定数、積分回路の時定数、および、ノイズの影響が少なく、これらのパルスの幅については、余り変化しない。従って、ヘッダパルスが広がり、カスタムコードやデータコードのパルスが広がっていないことは、リモコン５の向きのずれを示すことになる。
【００５７】
なお、本発明は上記実施形態に限定されず、表示情報については、文字による情報とした場合について説明したが、その他の表示情報の形式として、例えば、図柄とすることもできる。
【００５８】
また、適用される装置については、ＤＶＤプレイヤとした場合について説明したが、テレビ受像機やＤＶＤレコーダ、あるいは、ＨＤＤレコーダ、等のように、映像が表示される画面において、文字表示が可能な装置の場合には、同様に適用することができる。
【図面の簡単な説明】
【００５９】
【図１】本発明に係るリモートコントロール装置の一実施形態を適用したＤＶＤプレイヤの電気的構成を示すブロック線図である。
【図２】リモートコントローラの詳細な電気的構成を示すブロック線図である。
【図３】受信回路部の詳細を電気的構成を示すブロック線図である。
【図４】リモートコントロール信号の構成を示す説明図である。
【図５】リモートコントロール信号を形成するキャリア信号とキャリア信号により示されるパルスとの関係を示す説明図である。
【図６】リモートコントロール信号が正常に受信されなかったときにパルス波形信号に現れるパルス形状を示す説明図である。
【図７】リモートコントロール信号を受信したときの実施形態の主要動作を示すフローチャートである。
【図８】リモートコントロール信号を受信したときの実施形態の主要動作を示すフローチャートである。
【図９】リモートコントロール信号を受信したときの実施形態の主要動作を示すフローチャートである。
【図１０】リモートコントロール信号を受信したときの実施形態の主要動作を示すフローチャートである。
【図１１】リモートコントロール信号が正常に受信されなかったときの原因を示す情報が表示された画面を示す説明図である。
【符号の説明】
【００６０】
１１  信号判定解析部
１２  不具合表示部
１３  表示情報記憶部
１９  テレビ受像機（表示装置）
２６１  リモートコントロール信号
３７１  パルス波形信号
Ｐ１１，Ｐ２１，Ｐ３１，Ｐ４１  ヘッダパルス
Ｐ７１  キャリア信号
Ｐ７２  キャリア信号により示されるパルス
Ｐ８５  ヘッダパルス
Ｐ８６  カスタムコードを示すパルス
Ｐ８７  データコードを示すパルス
【図１】
2006067022.tif 000003
【図２】
2006067022.tif 000004
【図３】
2006067022.tif 000005
【図４】
2006067022.tif 000006
【図５】
2006067022.tif 000007
【図６】
2006067022.tif 000008
【図７】
2006067022.tif 000009
【図８】
2006067022.tif 000010
【図９】
2006067022.tif 000011
【図１０】
2006067022.tif 000012
【図１１】
2006067022.tif 000013